(57)【要約】  食品処理装置の蓋解放機構および蓋ロック機構が開示される。蓋解放機構は、いくつかの実施形態において、カム表面を介して容器からの蓋の取外しを容易にする。取外しに関して、最初に蓋は蓋と容器との間の密封を破るために傾斜され得る。蓋ロック機構が含められてもよく、いくつかの実施形態では、蓋をロック解除するための動き（例えばアームを回転させること）により蓋の取外しも開始される。
2016519632.tif 000002
【特許請求の範囲】
【請求項１】
接触表面を含む容器と、
前記容器と係合するように構成された蓋と、
前記蓋に対して可動であるアームと、
カム表面と
を含む装置であって、
前記蓋が前記容器と係合されているとき、前記蓋に対する前記アームの移動により、前記カム表面が、前記接触表面に対して移動し、および
前記接触表面に対する前記カム表面の前記移動により、前記蓋の少なくとも一部が、前記容器から離れる方向に移動する、装置。
【請求項２】
前記アームがロック部材を含み、および
前記蓋が前記容器と係合されているとき、前記アームは、前記蓋が前記容器から取り外されることを防止されるロック構成を有し、且つ前記アームは、前記蓋が前記容器から取外し可能なロック解除構成を有する、
請求項１に記載の装置。
【請求項３】
前記容器が係合部材を含み、
前記ロック構成において、前記係合部材は、前記ロック部材が前記容器から離れる方向に移動することを防止し、および
前記ロック解除構成において、前記ロック部材は、前記係合部材からある距離を置いて離間される、
請求項２に記載の装置。
【請求項４】
前記蓋が前記容器と係合されているとき、前記容器と前記蓋との間に密封係合を提供するシール部
をさらに含む、請求項１に記載の装置。
【請求項５】
前記シール部が、前記蓋に取り付けられたガスケットを含む、請求項４に記載の装置。
【請求項６】
前記容器と係合可能なベース部をさらに含み、前記ベース部がモータを含む、請求項１に記載の装置。
【請求項７】
前記容器内で食品を処理するように構成且つ配置された食品処理アセンブリをさらに含む、請求項１に記載の装置。
【請求項８】
前記アームが枢軸の周りで前記蓋に対して回転し、
前記アームが使用者係合部分を含み、および
前記使用者係合部分から枢着部までの距離が、前記枢軸から前記カム表面までの距離よりも長い、
請求項１に記載の装置。
【請求項９】
前記使用者係合部分が、前記アームの他の全ての領域よりも前記枢軸から離れている前記アームの領域を含む、請求項８に記載の装置。
【請求項１０】
前記カム表面が前記係合部材上の表面である、請求項３に記載の装置。
【請求項１１】
前記蓋が前記容器と係合されているとき、前記蓋に対する前記アームの移動により、前記カム表面が、前記接触表面に対して回転する、請求項１に記載の装置。
【請求項１２】
前記アームが前記蓋に対して回転可能であり、および前記蓋に対する前記アームの回転により、前記カム表面が前記接触表面に対して移動する、請求項１に記載の装置。
【請求項１３】
前記アームがハンドルを含む、請求項１に記載の装置。
【請求項１４】
前記アームが前記蓋に枢着される、請求項１に記載の装置。
【請求項１５】
前記接触表面に対する前記カム表面の前記移動により、前記蓋の前記少なくとも一部が、前記容器に対して傾斜する、請求項１に記載の装置。
【請求項１６】
容器と係合される蓋を提供するステップであって、前記容器が接触表面を含むステップと、
前記蓋に対してアームを移動するステップと
を含む方法であって、
前記蓋に対する前記アームの移動により、カム表面が、前記接触表面に対して移動し、および
前記接触表面に対する前記カム表面の前記移動により、前記蓋の少なくとも一部が、前記容器から離れる方向に移動する、方法。
【請求項１７】
前記蓋に対する前記アームの移動により、前記カム表面が、前記接触表面に対して回転する、請求項１６に記載の方法。
【請求項１８】
前記接触表面に対する前記カム表面の前記移動により、前記蓋の前記少なくとも一部が、前記容器に対して傾斜する、請求項１６に記載の方法。
【請求項１９】
前記蓋に対する前記アームの回転により、前記カム表面が、前記接触表面に対して回転する、請求項１７に記載の方法。
【請求項２０】
接触表面を有する食品プロセッサ容器と、
前記容器と係合するように構成された蓋と、
前記蓋に取り付けられたアームであって、前記蓋に対して回転可能であるアームと、
前記アームから延在する第１突出部であって、前記蓋が前記容器と係合され且つ前記アームが前記蓋に対して回転されるとき、前記接触表面と接触するように配置された丸みを帯びた表面を有する第１突出部と
を含む装置。
【請求項２１】
前記第１突出部が前記アームの端部から延在する、請求項２０に記載の装置。
【請求項２２】
前記アームが、使用者係合部分を有するハンドルを含み、且つ前記ハンドルが枢軸で前記蓋に枢結され、および
前記ハンドルの前記使用者係合部分が、前記枢軸に対して前記ハンドルの第１の側にあり、且つ前記突出部が、前記枢軸に対して、前記第１の側と反対側の前記ハンドルの第２の側にある、
請求項２１に記載の装置。
【請求項２３】
前記ハンドルが第２突出部を含み、前記第２突出部が、前記蓋が前記容器と係合され且つ前記ハンドルが前記蓋に対して回転されるとき、前記食品プロセッサ容器上の第２接触表面と接触するように配置された丸みを帯びた表面を有する、請求項２２に記載の装置。
【請求項２４】
前記ハンドルが、前記容器上の係合部材と係合するように構成されたロック部材をさらに含む、請求項２３に記載の装置。
【請求項２５】
食品プロセッサ容器と、
前記容器と係合するように構成された蓋と
を含む装置であって、
前記食品プロセッサ容器が、上部開口と、前記開口を囲むリムとを有し、前記容器が、上向き凹部を有する第１湾曲接触表面を含み、前記接触表面が前記リムの外側に取り付けられる、装置。
【請求項２６】
上向き凹部を有する第２湾曲接触表面であって、前記第１接触表面に対して前記容器開口の反対側で前記リムの外側に取り付けられる第２湾曲接触表面
をさらに含む、請求項２５に記載の装置。
【請求項２７】
前記第１接触表面がロック係合部材上に配置され、前記ロック係合部材が前記蓋のロック機構と係合するように構成される、請求項２５に記載の装置。
【請求項２８】
前記ロック係合部材が、下向き凸部を有する湾曲表面を有する、請求項２７に記載の装置。
【発明の詳細な説明】
【技術分野】
【０００１】
関連出願
本出願は、米国特許法第１１９条（ｅ）の下、２０１３年３月１５日に出願された「CONTAINER LID RELEASE APPARATUS AND METHOD」という名称の米国仮特許出願第６１／７９２，０６７号の優先権を主張し、上記の仮特許出願の内容全体が参照により本明細書に組み込まれる。
【０００２】
分野
本明細書中の態様は概して、食品処理装置の容器蓋機構、および容器蓋機構を使用する方法に関する。
【背景技術】
【０００３】
関連技術の考察
混合器などの食品プロセッサは、容器内で食品を処理する。食品プロセッサ容器は一般に、取外し可能な蓋を含む。いくつかの従来の食品プロセッサの蓋は、それらの関連容器と密接した締り嵌めを形成する。
【発明の概要】
【課題を解決するための手段】
【０００４】
概要
本発明の一実施形態によれば、装置は、容器と、蓋と、蓋に対して可動であるアームと、カム表面とを含む。容器は接触表面を含む。蓋が容器と係合されているとき、蓋に対するアームの移動により、カム表面が、接触表面に対して移動する。接触表面に対するカム表面の移動により、蓋の少なくとも一部が、容器から離れる方向に移動する。
【０００５】
本発明の別の実施形態によれば、方法は、容器と係合される蓋を提供することと、蓋に対してアームを移動することとを含む。容器は接触表面を含む。蓋に対するアームの移動により、カム表面が、接触表面に対して移動する。接触表面に対するカム表面の移動により、蓋の少なくとも一部が、容器から離れる方向に移動する。
【０００６】
本発明のさらに別の実施形態によれば、装置は、接触表面を有する食品プロセッサ容器と、容器と係合するように構成された蓋と、蓋に取り付けられたアームと、アームから延在する第１突出部とを含む。アームは蓋に対して回転可能であり、第１突出部は、蓋が容器と係合され且つアームが蓋に対して回転されるとき、接触表面と接触するように配置された丸みを帯びた表面を有する。
【０００７】
本発明のさらに別の実施形態によれば、装置は、食品プロセッサ容器と、容器と係合するように構成された蓋とを含む。食品プロセッサ容器は、上部開口と、開口を囲むリムとを有する。容器は、上向き凹部を有する第１湾曲接触表面を含む。接触表面はリムの外側に取り付けられる。
【０００８】
図面の簡単な説明
添付の図面は、原寸に比例して描くことを意図されていない。図面中、様々な図に示される各同一またはほぼ同一の構成要素は、同様の番号で示されている。明確さのため、全ての図面中で全ての構成要素に番号が付されていなくてもよい。次に本発明の様々な実施形態を、添付図面を参照して、例として記載する。
【図面の簡単な説明】
【０００９】
【図１】本発明の態様による容器、蓋および蓋機構を示す斜視図である。
【図２】図１に示される蓋を示す斜視図である。
【図３】図２に示されるアームを示す斜視図である。
【図４】係合部材を有する容器を示す斜視図である。
【図５】容器と係合される蓋を示す側面図である。
【図６】容器からわずかに分離された蓋を示す側面図である。
【図７】てこシステムとしてのアームを示す概略側面図である。
【図８Ａ】容器と係合された蓋を示す斜視図であり、ここでアームはロックされた構成にある。
【図８Ｂ】図８Ａに示された構成を示す斜視図であり、ここでアームは透視された状態で示されている。
【図９】蓋および容器を示す側面図であり、ここでアームはロック解除された構成にあり、アームは透視された状態で示されている。
【図１０】係合部材を有する容器を示す別の実施形態の斜視図である。
【発明を実施するための形態】
【００１０】
詳細な説明
従来型の混合器または食品プロセッサは、食品がその中で処理される容器を覆うために取外し可能な蓋を含むことが多い。いくつかの構成では、容器と蓋との間に密封係合を提供するために、ガスケットまたは他のシール部が含まれ得る。いくつかの場合、ガスケットは蓋に固定され、容器と相互作用し得る。他の場合、ガスケットは容器に固定され、蓋と相互作用し得る。本発明者らは、ガスケットまたは他のシール部が蓋と容器との間に密封係合を提供する場合、蓋を上に引き上げることによって容器から蓋を取り外すことは、ガスケットと容器との間、またはガスケットと蓋との間の密封係合が継続するために難しくなり得ることを認識している。蓋が容器から引き離されるとき、しかしシール部が分離される前、容器の容積は増大され、このとき空気は容器に入ることを許容されない。従って、差圧が形成され、蓋の取外しは難しくなり得る。
【００１１】
本発明者らは、蓋の取外しの開始時に蓋をわずかに傾斜させてガスケットの一部と蓋または容器のいずれかの一部との間にわずかな分離を形成することが、蓋を取り外すプロセスをかなり容易にし得ることを理解した。加えて、本発明者らは、蓋の取外しの開始時に機械的有利性を提供する構成が、容器からの蓋の取外しを促進できることを認識した。さらに、この傾斜および／または機械的有利性を、蓋ロック解除および／または取外しの一部として既に存在し得る動きに組み込むことは、いくつかの実施形態では特に有利であり得る。
【００１２】
本明細書に提供されるのは、食品処理装置が、容器からの蓋の取外しを促進する蓋解放機構を含む実施形態である。同じく本明細書に提供されるのは、食品処理装置が、蓋を容器にロックする蓋ロック機構を含む実施形態である。
【００１３】
本明細書で使用される際、用語「接続される」、「取り付けられる」または「結合される」は直接的な接続、取付、または結合に限定されず、２つの構成要素は、中間構成要素を介して互いに接続されるか、取り付けられるか、または結合されてもよい。
【００１４】
本明細書中で開示される実施形態または態様はいずれも混合器または他の食品プロセッサで使用できる。
【００１５】
一実施形態によれば、図１に示されるように、容器３０は取外し可能な蓋１０と係合する。蓋１０は、蓋１０に枢着され得るアーム２０を含み得る。いくつかの実施形態では、図１に示されるように、アーム２０は、使用者によって容易に掴まれてハンドルとして機能できるように成形され得る。アーム２０は、直線状の矩形部材であってもよく、湾曲されても、またはこの態様がそのように限定されないように他のいずれかの適切な形状であってもよい。
【００１６】
アーム２０は枢軸２１の周りで蓋１０に対して回転されてもよい。いくつかの実施形態では、図１および２に示されるように、蓋１０は、蓋１０に取り付けられるか、または他に固定されるガスケット１２を含む。ガスケット１２は蓋１０に永久的にまたは取外し可能に取り付けられてもよい。図１に示されるように、蓋１０が容器３０と係合されているとき、ガスケット１２は蓋１０と容器３０の内側表面との間に密封係合を形成する。いくつかの場合、蓋１０と容器３０との間にガスケット１２によって形成される密封係合は、流体が蓋１０と容器３０との間を流れることができないように流体を通さない密封を提供する。容器３０は図１で透視図で示され、ガスケット１２と、容器３０の内側に配置された蓋１０の下側部分とを明らかにしている。しかしながら、容器３０は透明、不透明、半透明、または他のいずれかの適切な度合の透明度もしくは不透明度であることができることを理解されたい。
【００１７】
いくつかの実施形態では、アームは蓋に対して回転できない状態で蓋に対して可動であることを理解されたい。アームは蓋に対して摺動可能、押圧可能および／または引張可能であってもよく、またはアームはいずれかの適切な方法で蓋に対して移動されてもよい。
【００１８】
いくつかの実施形態では、ガスケットは蓋ではなく容器に永久的にまたは取外し可能に取り付けられる。いくつかの実施形態では、ガスケットは蓋または容器と一体的に形成されてもよい。他の実施形態では、ガスケットもシール部も含められなくてもよく、いくつかの場合、蓋と容器との間の係合は、ガスケットもガスケット型構成要素もない状態でさえ密封をなおも提供し得る。蓋は、締まり嵌め、滑り嵌め、またはこの態様がそのように限定されないように他のいずれかの適切な嵌合を介して容器と係合し得る。
【００１９】
図２〜３に示されるように、いくつかの実施形態では、アーム２０は、使用者によって掴まれる使用者係合部分２３を含み得る。いくつかの場合、使用者係合部分２３は、使用者により高いてこ作用を与えるために、枢軸２１から最も遠いアームの部分であり得る。使用者係合部分は、アームの他の全ての領域よりもアーム枢軸から離れたアームの領域であり得る。アーム２０はまた、以下で詳細に説明されるような容器上の係合部材と相互作用するカム表面２２を含み得る。カム表面２２はアーム２０から突出し得、また、丸みを帯びた形状を有し得る。カム表面２２はアーム２０と一体的に形成されてもよく、またはカム表面２２は、接着剤を介して、溶接によって、または他のいずれかの適切な取付構成によってアーム２０に取り付けられる別個の構成要素であってもよい。
【００２０】
図３に示されるように、いくつかの実施形態では、アーム２０は、以下で詳細に説明されるような容器上の係合部材と相互作用するロック部材２４を含み得る。ロック部材２４は、容器上の係合部材を受け入れるように構成された溝または凹部２７を含み得る。ロック部材２４はまた、突出隆起部２５を含み得る。ロック部材２４はアームと一体的に形成されても、アーム２０に彫り込まれても、または他にアーム２０に形成されてもよく、またはロック部材２４は、接着剤を介して、溶接によって、または他のいずれかの適切な取付構成によってアーム２０に取り付けられる別個の構成要素であってもよい。
【００２１】
図４に示されるように、容器は上部開口３１を含み、リム３３が開口３１を囲んでいる。容器３０は、アーム２０のカム表面２２と相互作用する接触表面３５を含む。図４に示されるように、接触表面３５は、リム３３の外側に取り付けられてもよい。接触表面３５は、上向き凹部を有する湾曲表面であってもよい。いくつかの実施形態では、接触表面３５は、容器３０と一体的に形成されても、容器３０に彫り込まれても、または他に容器３０に形成されてもよい。他の実施形態では、接触表面３５は、接着剤を介して、溶接によって、または他のいずれかの適切な取付構成によって容器３０に取り付けられる別個の構成要素であってもよい。接触表面は湾曲、平坦、またはいずれかの適切な形状であってもよいことを理解されたい。一実施形態では、図１０に示されるように、接触表面３５’は平坦である。
【００２２】
いくつかの実施形態では、容器３０は係合部材３４を含み得る。係合部材３４は、ロック表面３６を含み得る。いくつかの実施形態では、係合部材３４のロック表面３６は、アーム２０上のロック部材２４と相互作用し得る。ロック表面３６は、下向き凸部を有する湾曲表面を有し得る。係合部材３４は容器３０と一体的に形成されても、容器３０に彫り込まれても、または他に容器３０に形成されてもよく、または係合部材３４は、接着剤を介して、溶接によって、または他のいずれかの適切な取付構成によって容器３０に取り付けられる別個の構成要素であってもよい。
【００２３】
いくつかの実施形態では、接触表面３５は係合部材３４の表面である。例えば、図４に示されるように、接触表面３５は係合部材３４の上面として機能する。他の実施形態では、しかしながら、接触表面３５および係合部材３４は別個の構成要素であってもよい。いくつかの実施形態では、接触表面は含まれ、一方で係合部材は含まれない。
【００２４】
図４〜５に示されるように、容器３０の上部開口３１は、蓋１０の一部が容器３０の中に部分的に延在するように、蓋１０の一部を受け入れ得る。このように、蓋１０に取り付けられたガスケット１２は、蓋１０が図５に示されるように容器３０と係合されるとき、容器３０の内側表面に封着され得る。
【００２５】
蓋解放機構の動作を次に記載する。図５において、蓋１０は、ガスケット１２が容器３０と蓋１０との間で密封係合を形成するように容器３０と係合されている。容器３０はカウンタートップまたは他の表面上に配置され得る。図６に示されるように、アーム２０が枢軸２１の周りで蓋１０に対して反時計回りに回転されると、アーム上のカム表面２２が接触表面３５と接触しそれに対して摺動する。カム表面２２が回転し接触表面３５に沿って摺動するとき、カム表面２２は下向きの力を接触表面３５にかける。接触表面３５に力をかけることが、接触表面３５に等しく且つ反対の上向きの反力をカム表面２２にかけさせる。カム表面２２はアーム２０に固定され且つアーム２０は蓋１０に取り付けられているため、カム表面２２に対する上向きの反力がアーム２０を押し上げ、それが蓋１０の一部を同じく上に移動させる。図６に示されるように、カム表面２２が接触表面３５を押すとき、蓋１０の右側が上に傾斜する。結果として、蓋１０上のガスケット１２が同じくある角度で上に傾斜する。このガスケット１２の上方への傾斜が、ガスケット１２の一部と容器３０の内側表面の一部との間にわずかな分離を引き起こす。このわずかな分離によって容器３０と蓋１０との間の密封係合の一部が破られ、ガスケット１２と容器３０との間の密封相互作用の力がかなり弱められ、それにより容器３０から蓋を引き上げることによって使用者が蓋１０を容易に取り外すことが可能になり得る。
【００２６】
いくつかの実施形態では、蓋解放装置は、蓋が初期取外しの間、傾斜しないが代わりに容器から実質的に長手方向に離れるように構成される。
【００２７】
アーム２０は、支点としての枢軸２１と、力適用点としてのアームの使用者係合部分２３と、負荷適用点としてのカム表面２２とを有するアームシステムとして機能し得る。いくつかの実施形態では、枢軸２１、使用者係合部分２３およびカム表面２２は、機械的有利性を生じるように配置されてもよく、ここで機械的有利性は、入力に対する出力の比率として定義される。機械的有利性は、支点と負荷適用点との間の距離に対する支点と力適用点との間の距離の比率に等しい。図７に概略的に示されるように、枢軸２１と使用者係合部分２３との間の距離「ａ」は、枢軸２１とカム表面２２との間の距離「ｂ」よりも長い。そのような実施形態では、アーム２０は、容器３０からの蓋１０の取外しを促進するのに役立つ機械的有利性を提供する。
【００２８】
蓋解放機構の動作を次に説明する。一実施形態によれば、図８Ａに示されるように、蓋１０は容器３０と係合され、アーム２０は容器３０からの蓋１０の取外しが防止されるようにロックされた構成である。アーム２０が透視された状態で示される図８Ｂに示されるように、アーム２０がロックされた構成のとき、容器３０の係合部材３４は、アーム２０上のロック部材２４の溝または凹部２７内に受け入れられる。容器３０からの蓋１０の取外しは、ロック部材２４の係合部材３４との相互作用のために防止される。いくつかの実施形態では、ロック部材２４が垂直に上方に移動された場合、ロック部材２４の突出隆起部２５（図３参照）が係合部材３４のロック表面３６に当接し得、それにより容器３０からの蓋１０の取外しは防止される。
【００２９】
図９は、ロック解除された構成のアーム２０を示している。図９に示されるように、アーム２０が蓋１０に対して反時計回りに回転されると、ロック部材２４は係合部材３４から離され、その結果、係合部材３４はロック部材２４の突出隆起部２５をもはや妨害しない。従って、アーム２０がロック解除構成のとき、ロック部材２４の上方垂直移動は許容され、従って蓋１０を容器３０から取り外すことができる。
【００３０】
いくつかの実施形態では、同じ係合部材を、蓋解放機構および蓋ロック機構の両方に使用することができる。一実施形態では、図４に示されるように、接触表面３５は係合部材３４の表面であり、接触表面３５は蓋解放機構のアーム２０のカム表面２２と相互作用する。加えて、係合部材３４のロック表面３６は、蓋ロック機構のアームのロック部材２４と相互作用する。しかしながら、他の実施形態では、蓋解放機構の接触表面は、蓋ロック機構の係合部材から切り離されてもよい。
【００３１】
構成要素２２が容器に取り付けられ構成要素３５がアームに取り付けられるように図の構成要素２２および３５が逆にされると、アームに取り付けられた構成要素がカム表面と考えられ、容器上の構成要素が接触表面と考えられるであろうことを理解されたい。
【００３２】
加えて、一実施形態では、アーム２０は蓋よりもむしろ容器に枢着され得る。アームの回転が、アームの一部を蓋の一部と接触させ、蓋の一部に対して摺動させ得、それが次に蓋の一部を容器から押し上げ得る。蓋と接触するアームの一部はカム表面と考えられ、アームに接触される蓋の一部は接触表面と考えられるであろう。
【００３３】
いくつかの実施形態では、上で考察され図に示された容器は、食品処理装置で使用され得る。いくつかの場合、容器は、モータを含むベース部分（不図示）と係合し得る。モータは、容器内で食品を処理する食品処理アセンブリに動力を供給し得る。例えば、食品処理アセンブリは、ブレード、ドウフック、泡立て器、攪拌機、または他の種類の処理ツールを含み得る。他の実施形態では、しかしながら、容器は、食品処理装置と一緒ではない他の目的で使用され得る。例えば、容器は液体および／または固体用貯蔵容器であり得る。
【００３４】
本発明が必ずしもそのように限定されないように、上記構成要素は様々な材料で作製可能である。
【００３５】
本発明がこの点において限定されないように、上記態様はあらゆる適切な組合せで利用されてもよい。加えて、上記態様のどれもまたは全ては食品処理装置で利用されてもよい。しかしながら、上記態様は蓋と係合するどのような容器で利用されてもよいため、本発明はこの点において限定されない。
【００３６】
従って本発明の少なくとも１つの実施形態のいくつかの態様を記載してきたが、様々な変更形態、修正形態および改良形態が当業者に容易に想到されるであろうことを理解すべきである。そのような変更形態、修正形態および改良形態は、本開示の一部であることが意図され、また、本発明の趣旨および範囲内にあることが意図される。従って前述の記載および図面は単なる例である。
【図１】
2016519632.tif 000003
【図２】
2016519632.tif 000004
【図３】
2016519632.tif 000005
【図４】
2016519632.tif 000006
【図５】
2016519632.tif 000007
【図６】
2016519632.tif 000008
【図７】
2016519632.tif 000009
【図８Ａ】
2016519632.tif 000010
【図８Ｂ】
2016519632.tif 000011
【図９】
2016519632.tif 000012
【図１０】
2016519632.tif 000013
【国際調査報告】
2016519632.tif 000014
2016519632.tif 000015
2016519632.tif 000016
2016519632.tif 000017